【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】
記録媒体の搬送方向に同一色を記録する、異なる複数種類の記録ドット径に対応した記録要素を配列した記録ヘッドを有する記録装置であって、
外部装置から記録データを入力する入力手段と、
前記記録ヘッドを前記搬送方向とは異なる方向に走査する走査手段と、
前記入力手段によって入力された記録データを保持する複数の記憶手段と、
前記記録ヘッドによって前記記録媒体に記録される前記記録データの内容に従って、前記複数の記憶手段各々を、前記複数の記録要素を分割した複数の要素グループ各々に割り当てる制御手段とを有し、
前記制御手段は、前記複数の記憶手段に保持された記録データに従って、同一の記録ドット径に対応した複数の記録要素へのデータ転送を制御する
ことを特徴とする記録装置。
【請求項２】
前記複数の記憶手段各々は、前記搬送方向に前記記録ヘッドの長さで、かつ該記録ヘッドの走査方向の走査範囲に相当する領域の記録データを保持する
ことを特徴とする請求項１に記載の記録装置。
【請求項３】
前記複数の要素グループ各々が、前記複数の記憶手段のどれに割り当てられているかを管理する管理テーブルを更に有する
ことを特徴とする請求項１に記載の記録装置。
【請求項４】
前記制御手段は、前記複数の記憶手段各々に固有の識別番号を付し、記録動作の進行に伴って、前記識別番号を更新してゆくことによって、前記複数の記憶手段の管理を行なう
ことを特徴とする請求項３に記載の記録装置。
【請求項５】
前記記録ヘッドは、インクを吐出して記録を行うインクジェット記録ヘッドである
ことを特徴とする請求項１に記載の記録装置。
【請求項６】
前記記録ヘッドは、熱エネルギーを利用してインクを吐出する記録ヘッドであって、インクに与える熱エネルギーを発生するための熱エネルギー変換体を備えている
ことを特徴とする請求項１に記載の記録装置。
【請求項７】
前記記録ヘッドは、複数色の記録剤各々に対応して、前記走査方向に、前記複数の記録要素を１つの記録要素群として、前記複数色の記録剤の数に対応する数の記録要素群を配列したカラー記録ヘッドである
ことを特徴とする請求項１に記載の記録装置。
【請求項８】
前記複数の要素グループ各々が、前記複数の記憶手段のどれに割り当てられているかを管理する管理テーブルを、前記複数色の記録剤の数に対応する数だけ更に有する
ことを特徴とする請求項７に記載の記録装置。
【請求項９】
前記カラー記録ヘッドは、インクを吐出して記録を行うインクジェット記録ヘッドである
ことを特徴とする請求項７に記載の記録装置。
【請求項１０】
前記カラー記録ヘッドは、熱エネルギーを利用してインクを吐出する記録ヘッドであって、インクに与える熱エネルギーを発生するための熱エネルギー変換体を備えている
ことを特徴とする請求項７に記載の記録装置。
【請求項１１】
記録媒体の搬送方向に、複数色の記録剤に対応して、異なる複数種類の記録ドット径に対応した所定数の記録要素を１つの群として前記記録剤の数に相当する数の記録要素群だけ、配列した記録ヘッドを有し、前記記録媒体を前記記録要素の所定幅ずつ前記搬送方向に搬送し、前記記録ヘッドが異なる色の記録剤を用いて前記記録媒体の同一領域に対して複数回の記録動作を行なうことでカラー記録を行う記録装置であって、
外部装置から複数色成分からなるカラー記録データを入力する入力手段と、
前記入力手段によって入力されたカラー記録データを保持する複数の記憶手段と、
前記記録ヘッドによって前記記録媒体に記録される前記カラー記録データの内容に従って、前記複数の記憶手段各々の前記複数の記録要素群各々への割当と解放を制御する制御手段とを有し、
前記制御手段は、前記複数の記憶手段に保持されたカラー記録データに従って、同一の記録ドット径に対応した前記割当と解放を前記カラー記録データの色成分ごとに行い、前記割当と解放の制御のために、前記複数色成分各々に対応した複数の管理テーブルを用いる
ことを特徴とする記録装置。
【請求項１２】
前記複数の記憶手段各々には、前記制御手段が前記割当と解放の制御を行なうための情報として、前記複数の記憶手段各々に固有の識別番号を付記する
ことを特徴とする請求項１１に記載の記録装置。
【請求項１３】
前記複数の記憶手段各々に付記される識別番号は連続しており、前記制御手段は、前記割当の際に割当てられる記憶手段の有無を示す情報をレジスタに格納する
ことを特徴とする請求項１２に記載の記憶装置。
【請求項１４】
前記制御手段は、前記割当の制御のために前記複数の記憶手段に前記カラー記録データを書き込む第１のタイミングで前記複数の管理テーブルを更新し、かつ前記解放の制御のために前記記録ヘッドによって前記記録媒体への記録がなされ、前記搬送手段によって前記記録媒体の前記所定幅の搬送がなされる第２のタイミングで前記複数の管理テーブルを更新する
ことを特徴とする請求項１１に記載の記録装置。
【請求項１５】
前記第１のタイミングで、前記複数の記憶手段の内、前記制御手段によって割り当てられた記憶手段は割当中となり、前記第２のタイミングで、前記複数の記憶手段の内、前記制御手段によって割り当てられた記憶手段は解放となる
ことを特徴とする請求項１４に記載の記録装置。
【請求項１６】
前記記録媒体への記録を必要としないカラー記録データに関しては、前記制御手段は、前記複数の記憶手段を前記複数の記録要素群に割り当てないよう制御する
ことを特徴とする請求項１１に記載の記録装置。
【請求項１７】
前記カラー記録ヘッドは、インクを吐出して記録を行うインクジェット記録ヘッドである
ことを特徴とする請求項１１に記載の記録装置。
【請求項１８】
前記カラー記録ヘッドは、熱エネルギーを利用してインクを吐出する記録ヘッドであって、インクに与える熱エネルギーを発生するための熱エネルギー変換体を備えている
ことを特徴とする請求項１１に記載の記録装置。
【請求項１９】
記録媒体の搬送方向に同一色を記録する、異なる複数種類の記録ドット径に対応した記録要素を配列した記録ヘッドを有する記録装置の制御方法であって、
外部装置から記録データを入力する入力工程と、
前記入力工程によって入力された記録データを複数の記憶手段へ保持する保持工程と、
前記記録ヘッドによって前記記録媒体に記録される前記記録データの内容に従って、前記複数の記憶手段各々を、前記複数の記録要素を分割した複数の要素グループ各々に割り当てる制御工程とを有し、
前記制御工程は、前記複数の記憶手段に保持された記録データに従って、同一の記録ドット径に対応した複数の記録要素へのデータ転送を制御する
ことを特徴とする記録装置の制御方法。
【請求項２０】
記録媒体の搬送方向に、複数色の記録剤に対応して、異なる複数種類の記録ドット径に対応した所定数の記録要素を１つの群として前記記録剤の数に相当する数の記録要素群だけ、配列した記録ヘッドを有し、前記記録媒体を前記記録要素の所定幅ずつ前記搬送方向に搬送し、前記記録ヘッドが異なる色の記録剤を用いて前記記録媒体の同一領域に対して複数回の記録動作を行なうことでカラー記録を行う記録装置の制御方法であって、
外部装置から複数色成分からなるカラー記録データを入力する入力工程と、
前記入力工程によって入力されたカラー記録データを複数の記憶手段に保持する保持工程と、
前記記録ヘッドによって前記記録媒体に記録される前記カラー記録データの内容に従って、前記複数の記憶手段各々の前記複数の記録要素群各々への割当と解放を制御する制御工程とを有し、
前記制御工程は、前記複数の記憶手段に保持されたカラー記録データに従って、同一の記録ドット径に対応した前記割当と解放を前記カラー記録データの色成分ごとに行い、前記割当と解放の制御のために、前記複数色成分各々に対応した複数の管理テーブルを用いる
ことを特徴とする記録装置の制御方法。
【請求項２１】
記録媒体の搬送方向に同一色を記録する、異なる複数種類の記録ドット径に対応した記録要素を配列した記録ヘッドを有する記録装置の制御をコンピュータに機能させるためのプログラムであって、
外部装置から記録データを入力する入力工程と、
前記入力工程によって入力された記録データを複数の記憶手段へ保持する保持工程と、
前記記録ヘッドによって前記記録媒体に記録される前記記録データの内容に従って、前記複数の記憶手段各々を、前記複数の記録要素を分割した複数の要素グループ各々に割り当てる制御工程をコンピュータに実行させることを特徴とし、
前記制御工程は、前記複数の記憶手段に保持された記録データに従って、同一の記録ドット径に対応した複数の記録要素へのデータ転送を制御する
ことを特徴とするプログラム。
【請求項２２】
記録媒体の搬送方向に、複数色の記録剤に対応して、異なる複数種類の記録ドット径に対応した所定数の記録要素を１つの群として前記記録剤の数に相当する数の記録要素群だけ、配列した記録ヘッドを有し、前記記録媒体を前記記録要素の所定幅ずつ前記搬送方向に搬送し、前記記録ヘッドが異なる色の記録剤を用いて前記記録媒体の同一領域に対して複数回の記録動作を行なうことでカラー記録を行う記録装置の制御をコンピュータに機能させるためのプログラムであって、
外部装置から複数色成分からなるカラー記録データを入力する入力工程と、
前記入力工程によって入力されたカラー記録データを複数の記憶手段に保持する保持工程と、
前記記録ヘッドによって前記記録媒体に記録される前記カラー記録データの内容に従って、前記複数の記憶手段各々の前記複数の記録要素群各々への割当と解放を制御する制御工程とをコンピュータに実行させることを特徴とし、
前記制御工程は、前記複数の記憶手段に保持されたカラー記録データに従って、同一の記録ドット径に対応した前記割当と解放を前記カラー記録データの色成分ごとに行い、前記割当と解放の制御のために、前記複数色成分各々に対応した複数の管理テーブルを用いる
ことを特徴とするプログラム。